(57)【要約】      （修正有）【課題】  受信しようとする電波の向きに合わせてアンテナ本体を水平または鉛直のいずれかの方向に向けて取り付けることができ、しかもマスト等に取り付けた状態でボルトや止め金具などが突出せず、安全性に優れ、また外観上も体裁が良く、耐久性にも富み、風雨に晒されても長期間安定して使用できるアンテナの取付構造を提供する。【解決手段】  アンテナ本体１の背面側に設けられ、マストＭをその長手方向に間隔をあけ係合させる二組の対向する凹状係合部を両者間を結ぶ直線が十字状に交差するように備えた取付金具５と、一組の対向する凹状係合部にマストＭの前方の面をそれぞれ係合させるとともに、マストＭの長手方向に対し略４５°傾斜してマストの相対向する背面をその長手方向に間隔をあけて押圧して係合させる。【選択図】    図１
2006339870.tif 000002
【特許請求の範囲】
【請求項１】
鉛直方向に支持されたマストに対しアンテナ本体を水平または鉛直のいずれの方向にも取付可能なアンテナの取付構造であって、
前記アンテナ本体の背面側に設けられ、前記マストをその長手方向に間隔をあけ係合する二組の対向する凹状係合部を両者間を結ぶ直線が十字状に交差するように備えた取付金具と、
前記取付金具の一組の対向する凹状係合部に前記マストの一方の面をそれぞれ係合させた状態で、前記取付金具および前記マストの長手方向に対し略４５°傾斜してマストの相対向する他方の面をその長手方向に間隔をあけて押圧して係合させるとともに、一対の相互に隣接する係合凹部を相対向して平行に両側に備え、前記取付金具に対し両側に交差して跨る前記係合凹部間で前記マストを挟持して固定する押さえ金具と、
この押さえ金具の両端部に設けたボルト孔を挿通し前記アンテナ本体側または前記取付金具側のねじ孔に螺合して緊締する一対のボルトとを具備することを特徴とするアンテナの取付構造。
【請求項２】
前記押さえ金具を覆い、前記一対のボルトにて同押さえ金具とともに前記取付金具に取り付けられ、前記押さえ金具のボルト孔に一連に挿通される一対のボルト孔を設けた押さえ金具カバーとを具備することを特徴とする請求項１記載のアンテナの取付構造。
【請求項３】
前記押さえ金具が、断面コの字形で対向する両側の屈折辺上に一対の隣接する前記係合凹部を相対向して有するとともに、前記各ボルトが挿通される一対の長孔を前記ボルト孔として前記屈折辺間の板面上に穿設していることを特徴とする請求項１または２記載のアンテナの取付構造。
【請求項４】
前記押さえ金具カバーが前記取付金具の各凹状係合部に対向する凹状部を備え、前記押さえ金具を前記押さえ金具カバーの内側に対角線状に固定していることを特徴とする請求項３記載のアンテナの取付構造。
【請求項５】
前記アンテナ本体が樹脂製筐体にアンテナ素子を内蔵し、同筐体の背面に前記取付金具を筐体内に配置される取付板とで前記筐体背面を挟持するように複数本の固定ねじで固定され、前記押さえ金具カバーも樹脂製で前記各ボルトが前記ボルト孔および前記押さえ金具の長孔を一連に挿通する前記ボルトにて前記取付金具または前記取付板に穿設されるねじ孔に螺合して締め付けることにより前記マストに取り付けられることを特徴とする請求項３または４記載のアンテナの取付構造。
【発明の詳細な説明】
【技術分野】
【０００１】
この発明は、例えばベランダや屋上に鉛直方向に立設されるマストに対し、アンテナ本体を水平または鉛直のいずれの方向にも取付可能なアンテナの取付構造に関するもので、詳しくは、例えば地上デジタルテレビ放送用のＵＨＦテレビ受信波の水平偏波あるいは垂直偏波のいずれにも対応でき、かつ受信波の到来方向に応じてアンテナの向きを変更できる取付金具を含むアンテナの取付構造に関する。
【背景技術】
【０００２】
この種のアンテナの取付構造に関する先行技術として、例えば、アンテナ本体の背面に断面が円弧の十字溝を凹設してその相隣接する外端を弧状孔で連通し、各弧状孔の対向面の周縁に突起縁を形成したうえ、この突起縁に前記十字溝と平行に４箇所の支柱（マスト）受け溝と収納用切欠き溝とを形成した受け金具と、この受け金具の弧状孔に挿通して基部を十字溝に嵌挿させるＵボルトと、このＵボルトに挿通して前記受け金具とで支柱を挟持する押さえ金具と、Ｕボルトの両側ねじ部に螺合させ押さえ金具と受け金具を介して支柱を緊締する一対のナットとからなるアンテナ取付具が提案されている（例えば、特許文献１参照）。
【特許文献１】実開昭４９−１０６２４２号公報（第１頁〜第３頁および第１図〜第３図）
【発明の開示】
【発明が解決しようとする課題】
【０００３】
しかしながら、従来の上記アンテナ取付具では、つぎのような解決すべき課題がある。すなわち、例えばベランダに固定されたマストに上記アンテナ取付具を用いてアンテナを取り付けた状態で、アンテナは一般的にベランダの格子等から前方へ突出する一方、Ｕボルトの両側のねじ部がベランダの内側へ突出する（特許文献１の第３図参照）。
したがって、ベランダ内を通行したり、洗濯物を干すなどの作業をしたり、子供が遊んだりする場合に、突出するＵボルトの両側ねじ部でけがをするなど非常に危険である。また、押さえ金具とともにＵボルトの両側のねじ部が内側へ突出した状態で露呈しているので、外観上も見栄えがよくなく、また特にねじ部が風雨に当たって短期間で錆びたり劣化したりするおそれがある。
【０００４】
この発明は上述の点に鑑みなされたもので、受信しようとする電波の偏波の向き（水平または垂直）に合わせてアンテナ本体を水平または鉛直のいずれかの方向に向けて取り付けることができ、また同電波の到来方向に応じてアンテナの向きを変更でき、しかもマスト等に取り付けた状態でボルトや止め金具などが突出せず、安全性に優れ、また外観上も体裁が良く、耐久性にも富み、風雨や日光に晒されても長期間安定して使用できるアンテナの取付構造を提供しようとするものである。
【課題を解決するための手段】
【０００５】
上記の目的を達成するために本発明に係るアンテナの取付構造は、鉛直方向に支持されたマストに対しアンテナ本体を水平または鉛直のいずれの方向にも取付可能なアンテナの取付構造であって、前記アンテナ本体の背面側に設けられ、前記マストをその長手方向に間隔をあけ係合する二組の対向する凹状係合部を両者間を結ぶ直線が十字状に交差するように備えた取付金具と、前記取付金具の一組の対向する凹状係合部に前記マストの一方の面をそれぞれ係合させた状態で、前記取付金具および前記マストの長手方向に対し略４５°傾斜してマストの相対向する他方の面をその長手方向に間隔をあけて押圧して係合させるとともに、一対の相互に隣接する係合凹部を相対向して平行に両側に備え、前記取付金具に対し両側に交差して跨る前記係合凹部間で前記マストを挟持して固定する押さえ金具と、この押さえ金具の両端部に設けたボルト孔を挿通し前記アンテナ本体側または前記取付金具側のねじ孔に螺合して緊締する一対のボルト（アンテナ固定用主ボルト）とを具備することを特徴とする。
【０００６】
上記の構成を有する本発明に係るアンテナの取付構造によれば、例えばベランダに鉛直方向に立設されたマストに対し取り付ける場合に、受信波の偏波の向き（水平あるいは垂直）に合わせてアンテナ本体を水平あるいは鉛直に向けて取付金具の一組（上下または左右）の凹状係合部をマストの前方の面に押し当て、この状態でマストの上下方向に対し略４５°傾斜させて押さえ金具の両側に交差する係合凹部間をマストの後方の面に押し当てて挟持し、前記受信波の到来方向に向けてアンテナ本体を水平に旋回させた状態で、一対のボルトを押さえ金具のボルト孔に挿通して前記アンテナ本体側または取付金具側のねじ孔に螺合して締め付けることによりアンテナ本体を取り付けることができる。この取付状態で、マストの後方の面（背面）には押さえ金具が当接し、一対のボルトの頭部だけが取付金具の後方に突出している。したがって、従来の取付構造と違ってベランダ内へＵボルトの両側ねじ部が大きく突出することがなく、安全性が高く、外観も良好で体裁がよい。
【０００７】
請求項２に記載のように、前記押さえ金具を覆い、前記一対のボルトにて同押さえ金具とともに前記取付金具に取り付けられ、前記押さえ金具のボルト孔に一連に挿通される一対のボルト孔を設けた押さえ金具カバーとを具備することが好ましい。
【０００８】
請求項２記載のアンテナの取付構造によれば、マストにアンテナを取り付けた状態で、マストの後方の面（背面）に配置される押さえ金具が押さえ金具カバーによって被覆されているから、外観がより良好で、しかも風雨や日光に押さえ金具が直接晒されないので、劣化しにくく耐久性にも富む。
【０００９】
請求項３に記載のように、前記押さえ金具が、断面コの字形で対向する両側の屈折辺上に一対の隣接する前記係合凹部を相対向して有するとともに、前記各ボルトが挿通される一対の長孔を前記ボルト孔として前記屈折辺間の板面上に穿設することが好ましい。
【００１０】
請求項３記載のアンテナの取付構造によれば、押さえ金具の構造が簡素で軽量かつコンパクトであり、しかも一対のボルトで固定する際に押さえ金具の長手方向の位置を調整できるので、加工精度を低減でき、製作が容易になる。
【００１１】
請求項４に記載のように、請求項３記載のアンテナの取付構造において前記押さえ金具カバーが前記取付金具の各凹状係合部に対向する凹状部を備え、前記押さえ金具を前記押さえ金具カバーの内側に対角線状に固定することができる。
【００１２】
請求項４記載のアンテナの取付構造によれば、押さえ金具を押さえカバーの内側に一体に設けたので、両者を一部品として取り扱うことができて便利な上に、押さえ金具の交差するように両側に跨る係合凹部をマストの背面に係合させて一対のボルトで固定する際に、カバーで押さえ金具が見えない状態でも長孔によって押さえ金具の長手方向への位置がある程度許容されるので、ボルトのねじ部先端をねじ孔の位置に簡単に合わせられる。また、押さえ金具カバーに設けられた凹状部が取付金具の凹状係合部と相俟ってマストを覆うので、押さえ金具カバー側からマストを見たときに、マストの押さえ金具カバーに相当する部位が同カバーで概ね覆われており、外観が美しい。
【００１３】
請求項５に記載のように、請求項３または４記載のアンテナの取付構造において前記アンテナ本体が樹脂製筐体にアンテナ素子を内蔵し、同筐体の背面に前記取付金具を筐体内に配置される取付板とで前記筐体背面を挟持するように複数本の固定ねじで固定され、前記押さえ金具カバーも樹脂製で前記各ボルトが前記ボルト孔および前記押さえ金具の長孔を一連に挿通する前記ボルトにて前記取付金具または前記取付板に穿設されるねじ孔に螺合して締め付けることにより前記マストに取り付けられるようにすることができる。
【００１４】
請求項５記載のアンテナの取付構造によれば、アンテナ素子が樹脂製筐体に内蔵されており、取付金具および押さえ金具についても樹脂製筐体および樹脂製押さえ金具カバーで被覆され、露呈する金属部分はボルト頭部だけであるから、マストに取り付けた状態が美しく、またアンテナ素子をはじめ取付構造の主要部分も風雨や日光に晒され難いので、耐久性に富み長期にわたり安定した使用が可能になる。
【発明の効果】
【００１５】
本発明に係るアンテナの取付構造には、つぎのような優れた効果がある。すなわち、
受信しようとする電波の偏波の向き（水平または垂直）に合わせてアンテナ本体を水平または鉛直のいずれかの方向に向けて取り付けることができ、また同電波の到来方向に応じてアンテナの向きを変更でき、しかもマスト等に取り付けた状態でボルトや止め金具などが突出せず、安全性に優れ、また外観上も体裁が良く、耐久性にも富み、風雨や日光に晒されても長期間安定して使用できる。
【発明を実施するための最良の形態】
【００１６】
以下、本発明に係るアンテナの取付構造を実施するための最良の形態を図面に基づいて説明する。
【００１７】
図１は本発明の実施例に係るアンテナの取付構造を示す背面側（後方）より見た分解斜視図で、アンテナ素子を省略している。図２はベランダ等に鉛直方向に立設したマストにアンテナを取り付ける態様を示す背面側より見た分解斜視図、図３（ａ）は鉛直方向に立設したマストにアンテナ本体を水平に取り付た状態を示す背面側より見た斜視図、図３（ｂ）は同じくアンテナ本体を鉛直に取り付た状態を示す背面側より見た斜視図である。図４はマストの長手方向に沿ってアンテナ本体を取り付けた状態を示す、アンテナ本体の長手方向中央部における断面図である。
【００１８】
図１に示すように、アンテナ本体１は、例えばＵＨＦテレビ放送用アンテナ素子（図示せず）が正面（前方）へ向け漸次傾斜した流線形状で背面を開口した樹脂製筐体２内に装入され、樹脂製蓋板３を筐体２の背面開口２ａに装着することにより構成されている。蓋板３の外面において長手方向の中央部に、後述する取付金具５を嵌め込むための凹状収納部３ａが樹脂で一体に形成され、背面（後方）へ向けて開口している。なお、凹状収納部３ａの周囲は背面方向に延設された垂直壁３ｂで形成されている。アンテナ本体１の底面で後端寄りに、図３（ｂ）に示すように本例では入出力用の３つの接続端子１２が設けられている。
【００１９】
取付金具５は背面より見て略正方形状の浅い皿状体からなり、図４に示すように周囲が背面方向に延設された垂直壁５ａを有する。各垂直壁５ａの長手方向中央に凹状係合部５ｂがそれぞれ形成され、相対向する凹状係合部５ｂ間を直線状に結ぶ広幅突起条が長手方向中央位置で十字状に交差する十字突起条５ｃ（図１参照）が取付金具５の底面に形成されている。また、取付金具５の対角線をなす各隅部にボルト挿通孔５ｄが穿設されており、凹状収納部３ａの底面の四隅部にもボルト挿通孔５ｄに対応するボルト挿通孔３ｄが穿設されている。さらに、取付金具５の対角線をなす隅部のやや中心部寄りに、後述する長尺の（押さえ金具８固定用）主ボルト１０のボルト挿通孔５ｅが穿設され、これらのボルト挿通孔５ｅに対応するボルト挿通孔３ｅが凹状収納部３ａの底面にもそれぞれ穿設されている。なお、凹状収納部３ａを形成する四辺の垂直壁３ｂにおいて、取付金具５の凹状係合部５ｂに対応する位置に円弧状凹状部３ｃが形成されている。
【００２０】
図１・図４に示すように、取付金具５の形状に対応する正方形の金属板からなる取付板６が蓋板３の正面側で長手方向の中央部に配置され、図２・図４のように取付金具５を蓋板３の凹状収納部３ａに嵌め込み、４本の取付用短尺ボルト７を取付金具５のボルトボルト孔５ｄおよび凹状収納部３ａのボルト挿通孔３ｄを貫通させ、取付板６の四隅角部に穿設したねじ孔６ａに螺合させて締め付けることにより、取付金具５は蓋板３を取付板６と一体に挟持するようにして取り付けられる。また、取付板６には挿通孔５ｅおよび挿通孔３ｅに対応する位置に、長尺の主ボルト１０用のねじ孔６ｂが穿設されている。
【００２１】
一方、取付金具５と対をなしてマスト（支柱）Ｍにアンテナ本体１を取り付けるための押さえ金具８は、図１・図４のように断面コの字形で対向する両側の屈折辺８ｂ・８ｂ上に一対の相互に隣接する係合凹部８ｃ・８ｄを相対向して平行に形成するとともに、各屈折辺８ｂ間の板面８ａの両端部に各主ボルト１０が挿通される一対のボルト孔（挿通孔）８ｅ・８ｅを穿設しているが、これらのボルト孔８ｅ・８ｅは取付金具５のボルト挿通孔５ｅおよび凹状収納部３ａのボルト挿通孔３ｅなどに対応している。各屈折辺８ｂ・８ｂ上の一対の隣接する係合凹部８ｃ・８ｄは、図２に示すように鉛直方向に立設したマストＭに対しアンテナ本体１を水平に取り付ける場合、押さえ金具８の上端側をマストＭに対し左側に略４５°傾斜させて右上の係合凹部８ｃと左下の係合凹部８ｄとの間に跨ってマストＭの背面に係合する。なお、アンテナ本体１を鉛直に取り付ける場合には、押さえ金具８の上端側をマストＭに対し右側に略４５°傾斜させて左上の係合凹部８ｃと右下の係合凹部８ｄとの間に跨ってマストＭの背面に係合する（図５参照）。
【００２２】
押さえ金具８を被覆するための押さえ金具カバー９は樹脂製で、図１・図２のように凹状収納部３ａの垂直壁３ｂに対応する垂直壁９ｂを周囲に備えた略正方形の皿状体からなる。各垂直壁９ｂの長手方向中間部に、凹状収納部３ａの円弧状凹状部３ｃに対向する円弧状凹状部９ｃが形成されている。この押さえ金具カバー９の内面において押さえ金具８が、図２のように板面８ａの一対の小孔８ｆを貫通する取付ねじ１１により対角線状に固定されている。また、押さえ金具カバー９には、主ボルト１０挿通用のボルト孔９ｄが押さえ金具８のボルト挿通孔８ｅに対応するように穿設されている。２つのボルト挿通孔９ｄは押さえ金具カバー９の外表面より一段低い段差部９ｅをそれぞれ対向して形成し、そこに設けている。
【００２３】
以上のようにして本実施例のアンテナの取付構造が構成される。このアンテナの取付構造の使用態様について詳しく説明する。
【００２４】
鉛直方向に立設したマストＭに対しアンテナ本体１を水平偏波用受信波に対応して水平に取り付ける場合、例えば図３（ａ）のようにアンテナ本体１の背面中央部において取付金具５の上下の凹状係合部５ｂ（図１参照）を、マストＭの前方の面に押し当てた状態で、押さえ金具カバー９内の押さえ金具８をマストＭの背面に押し付け、一対の主ボルト１０をボルト孔９ｄおよび押さえ金具８のボルト孔８ｅにそれぞれ一連に挿通する。そして、さらに取付金具５のボルト孔５ｅおよび蓋板３のボルト孔３ｅに挿通させ、取付板６の各ねじ孔６ａに螺合させ、２本の主ボルト１０のねじ部１０ａの先端を螺合させて緩く締め付ける。それから、アンテナ本体１をマストＭに対し水平に旋回させ、アンテナ本体１の正面を受信波の到来方向に合わせて、２本の主ボルト１０をさらに締め付けて緊締する。
【００２５】
この状態において、マストＭの背面側には左上がりに傾斜した押さえ金具８の左上の係合凹部８ｃと右下の係合凹部８ｄがそれぞれ跨って嵌り込み、マストＭの長手方向に略４５°傾斜した状態で係合している。また、マストＭの前方の面には、取付金具５の上下あるいは左右の凹状係合部５ｂがマストＭの長手方向に直交する方向に係合し、かつ押さえ金具８との間で強固に挟持されているので、アンテナ本体１がマストＭに沿って位置ずれしたり、旋回したりしない。さらに、アンテナ本体１の背面側、つまりマストＭの背面側には、樹脂製の押さえ金具カバー９が押さえ金具８上に被さっており、主ボルト１０の頭部１０ｂだけが押さえ金具カバー９のボルト挿通孔９ｄから突出しているが、ボルト頭部１０ｂは押さえ金具カバー９の外表面より一段低くなった位置９ｅにあるので、ボルト頭部１０ｂに接触することがなく、極めて安全性が高い。
【００２６】
一方、図３（ｂ）は鉛直方向に立設したマストＭに対しアンテナ本体１を垂直偏波用受信波に対応して鉛直に取り付ける場合を示すもので、上記の場合とは、マストＭの背面側には右上がりに傾斜した押さえ金具８の右上の係合凹部８ｃと左下の係合凹部８ｄがそれぞれ跨って嵌り込み、マストＭの長手方向に略４５°傾斜した状態で係合しているところが相違する。受信波の到来方向に合わせて鉛直方向のアンテナ本体１をマストＭに対し水平に旋回させ、受信波をアンテナ本体１の正面で受けるようにして２本の主ボルト１０で緊締するところなど、その他の態様については共通するので、詳しい説明は省略する。
【００２７】
以上に本発明のアンテナの取付構造の実施例を示したが、つぎのように実施することができる。
【００２８】
・主ボルト１０のねじ部１０ａを螺合可能なねじ孔を取付金具５のボルト挿通孔５ｅの位置に設けて緊締してもよい、
・構造を簡略化するために押さえ金具カバー９を省いて、押さえ金具８だけを用いて主ボルト１０により緊締して取り付けることもできる。
【００２９】
・図５に押さえ金具８の他の実施例を示すが、押さえ金具８の板面８ａにおける両端部のボルト挿通孔８ｅを同図（ａ）のように長手方向に延びる長孔８ｅ’・８ｅ’にしてもよく、さらに一方の長孔８ｅ’の一端を開放してもよい。このようにすれば、押さえ金具カバー９のボルト挿通孔９ｄと多少の心ずれがあっても主ボルト１０を取付板６のねじ孔６ｂに容易かつ確実に螺合させられる。
【００３０】
・図示は省略するが、本発明はアンテナ本体１に内蔵されるアンテナ素子が水平偏波または垂直偏波のいずれか一方を受信するものを対象としているので、上記実施例のようにアンテナ本体１の形状は正面より見て略長方形に限らず、例えば、立方体や球体の形状からなるアンテナ本体１についても同様に実施できることは言うまでもない。
【図面の簡単な説明】
【００３１】
【図１】本発明の実施例に係るアンテナの取付構造を示す背面側（後方）より見た分解斜視図で、アンテナ素子を省略している。
【図２】ベランダ等に鉛直方向に立設したマストにアンテナを取り付ける態様を示す背面側より見た分解斜視図である。
【図３】図３（ａ）は鉛直方向に立設したマストにアンテナ本体を水平に取り付た状態を示す背面側より見た斜視図、図３（ｂ）は同じくアンテナ本体を鉛直に取り付た状態を示す背面側より見た斜視図である。
【図４】マストの長手方向に沿ってアンテナ本体を取り付けた状態を示す、アンテナ本体の長手方向中央部における断面図である。
【図５】押さえ金具の他の実施例を示すもので、図５（ａ）は平面図、図５（ｂ）は裏側に向けた状態の斜視図である。
【符号の説明】
【００３２】
１  アンテナ本体
２  樹脂製筐体
２ａ背面開口
３  樹脂製蓋板
３ａ凹状収納部
３ｂ垂直壁
３ｃ円弧状凹状部
５  取付金具
５ａ垂直壁
５ｂ凹状係合部
５ｃ十字突起条
５ｄ・５ｅボルト孔（ボルト挿通孔）
６  取付板
６ａ・６ｂねじ孔
７  短尺ボルト
８  押さえ金具
８ａ板面
８ｂ屈折辺
８ｃ・８ｄ係合凹部
８ｅボルト孔（ボルト挿通孔）
８ｆ小孔
９  押さえ金具カバー
９ｂ垂直壁
９ｃ円弧状凹状部
９ｄボルト孔（ボルト挿通孔）
９ｅ段差部
１０  主ボルト
１１  取付ねじ
１２  接続端子
Ｍ  マスト（支柱）
【図１】
2006339870.tif 000003
【図２】
2006339870.tif 000004
【図３】
2006339870.tif 000005
【図４】
2006339870.tif 000006
【図５】
2006339870.tif 000007